(57)【要約】【課題】孔版印刷を行う印刷装置及び印刷圧力制御方法に関し、印刷ドラムの空回転によってマスタ版の穿孔上から浮き出したインクの印刷用紙への過剰転移を抑制し、裏移りを防止する。【解決手段】製版された孔版原紙が巻着され孔版原紙にインクを供給しながら回転する印刷ドラムと、印刷ドラムの外周面に巻着された孔版原紙に印刷用紙を圧接させて印刷ドラム内から孔版原紙にインクを供給することにより、印刷用紙に印刷を行う圧接手段と、印刷ドラムを設定された空回転回数だけ空回転させる空回転手段とを備えた印刷装置において、印刷圧力制御手段３１０は、ドラム空回転回数設定手段３１１で設定される空回転回数に応じて、圧接手段が孔版原紙に印刷用紙を圧接する圧力である印刷圧力を制御する。また、印刷圧力制御手段３１０は更に、印刷ドラムに対して設定されている回転速度に応じて印刷圧力を制御する。印刷圧力制御手段３１０は、制御した印刷圧力を、圧接手段である印刷圧力調整用電動機１２４に設定する。【選択図】図１
2019038131.tif 000002
【特許請求の範囲】
【請求項１】
製版された孔版原紙が巻着され前記孔版原紙にインクを供給しながら回転する印刷ドラムと、
前記印刷ドラムの外周面に巻着された前記孔版原紙に印刷用紙を圧接させて前記印刷ドラム内から前記孔版原紙にインクを供給することにより、前記印刷用紙に印刷を行う圧接手段と、
前記印刷ドラムを設定された空回転回数だけ空回転させる空回転手段と、
前記空回転手段で設定される前記空回転回数に応じて、前記圧接手段が前記孔版原紙に前記印刷用紙を圧接する圧力である印刷圧力を制御する印刷圧力制御手段と、
を備える印刷装置。
【請求項２】
前記印刷圧力制御手段は更に、前記印刷ドラムに対して設定されている回転速度に応じて前記印刷圧力を制御する、
ことを特徴とする請求項１に記載の印刷装置。
【請求項３】
前記印刷圧力制御手段は、
前記空回転回数の複数の値と前記印刷ドラムの回転速度の複数の値の組合せ毎に最適な印刷圧力の値を記憶する印刷圧力値記憶テーブルを更に備え、
前記空回転手段で設定される前記空回転回数の値と前記印刷ドラムに対して設定されている回転速度の値の組合せに対応する印刷圧力値を前記印刷圧力値記憶テーブルから読み出し、前記圧接手段における前記印刷圧力を前記読み出した印刷圧力値に対応するように制御する、
ことを特徴とする請求項１に記載の印刷装置。
【請求項４】
回転する印刷ドラムの外周面に巻着された製版された孔版原紙に印刷用紙を圧接させて前記印刷ドラム内から前記孔版原紙にインクを供給することにより前記印刷用紙に印刷を行い、
空回転回数が設定された場合には前記印刷ドラムを前記空回転回数だけ空回転させ、
前記空回転回数に応じて前記圧接手段が前記孔版原紙に前記印刷用紙を圧接する圧力である印刷圧力を制御する、
ことを特徴とする印刷圧力制御方法。
【発明の詳細な説明】
【技術分野】
【０００１】
本発明は、孔版印刷を行う印刷装置及び印刷圧力制御方法に関する。
【背景技術】
【０００２】
従来、スキャナなどにより原稿を読み取った画像データに基づいてサーマルヘッドなどを駆動し、孔版原紙を溶融穿孔することにより製版処理を実行してマスタ版を作成し、この作成されたマスタ版を印刷ドラムに巻着して印刷ドラムの内側よりインクを供給し、ローラなどによりインキを印刷用紙に転移することにより印刷を行う孔版印刷装置が種々提案されている。孔版印刷装置において、印刷物が高速で排出されることにより、用紙によっては印刷物のインクが十分に乾かず次の印刷物の裏面にインクが移って汚れてしまう、いわゆる「裏移り」と呼ばれる現象が発生することがある。
【０００３】
そこで従来、次の印刷物が排出されるまでの時間間隔を調整することにより、インクが乾く時間をつくり、裏移りを抑える技術が知られている（例えば特許文献１）。この技術では、次の印刷物が排出されるまでの間隔は、印刷ドラムを空回転させることにより、又は印刷ドラムの回転を一定時間停止させることにより調整しており、ユーザは印刷ドラムの空回転回数又は印刷の間歇時間を指定することにより、裏移りの程度を調整することができる。
【先行技術文献】
【特許文献】
【０００４】
【特許文献１】特開平３−１９３３８３号公報
【発明の概要】
【発明が解決しようとする課題】
【０００５】
しかし、印刷ドラムを空回転させることにより印刷物の排出時間間隔を調整する上記従来技術では、空回転の遠心力で印刷ドラムに巻き付いているマスタ版の穿孔部からインクが浮き出してしまい、印刷用紙に転移するインク量が過剰となり、それにより裏移りが悪化し、スキップ印刷の効果が充分に得られていなかった。また、ドラム回転回数が多いほどマスタ版の穿孔部からのインクの浮きだし量が多くなり、裏移りが悪化していた。
【０００６】
一方、印刷ドラムの回転を一定時間停止させることにより印刷物の排出時間間隔を調整する上記従来技術では、印刷ドラムの停止状態から回転開始までの初期は印刷ドラムの回転速度を低速度から加速させていくことが必要であり、印刷ドラムの回転速度が低速度であるときには印刷ドラムと印刷用紙の接触時間が長く、インクの過剰転移による裏移りが発生するため好ましくなかった。
【０００７】
そこで、本発明は、印刷ドラムの空回転によってマスタ版の穿孔上から浮き出したインクの印刷用紙への過剰転移を抑制し、裏移りを防止することを目的とする。
【課題を解決するための手段】
【０００８】
態様の一例では、製版された孔版原紙が巻着され孔版原紙にインクを供給しながら回転する印刷ドラムと、印刷ドラムの外周面に巻着された孔版原紙に印刷用紙を圧接させて印刷ドラム内から孔版原紙にインクを供給することにより、印刷用紙に印刷を行う圧接手段と、印刷ドラムを設定された空回転回数だけ空回転させる空回転手段と、空回転回数に応じて圧接手段が孔版原紙に印刷用紙を圧接する圧力である印刷圧力を制御する印刷圧力制御手段と、を備える。
【発明の効果】
【０００９】
本発明によれば、印刷ドラムの空回転によってマスタ版の穿孔上から浮き出したインクの印刷用紙への過剰転移を抑制し、裏移りを防止することが可能となる。
【図面の簡単な説明】
【００１０】
【図１】印刷装置を制御するシステムのブロック図の例を示す図である。
【図２】印刷圧力値記憶テーブルのデータ構成例を示す図である。
【図３】印刷装置の印刷機構の例を示す図である。
【図４】印刷装置の印刷圧力制御機構の例を示す図である。
【図５】印刷装置の印刷圧力制御動作の例を示すフローチャートである。
【発明を実施するための形態】
【００１１】
以下、図面を参照しながら本発明の印刷装置及びその印圧制御方法の実施形態（以下「本実施形態」）について詳細に説明する。本実施形態は、製版された孔版原紙が巻着され孔版原紙にインクを供給しながら回転する印刷ドラムと、印刷ドラムの外周面に巻着された孔版原紙に印刷用紙を圧接させて印刷ドラム内から孔版原紙にインクを供給することにより、印刷用紙に印刷を行う圧接手段とを備える。また、本実施形態は、印刷用紙への裏移りを防止するために、印刷ドラムを設定された空回転回数だけ空回転させる空回転手段を備える。
【００１２】
このような印刷装置において、本出願人は、裏移りを防止するために印刷ドラムの空回転回数を変更させた場合において、それぞれの空回転回数のもとで、圧接手段が孔版原紙に印刷用紙を圧接する圧力である印刷圧力を調整すると、裏移りの程度を最少化できることがわかった。また、本出願人は、印刷濃度や印刷速度を調整するために印刷ドラムの回転速度を変更させた場合においても、それぞれの回転速度のもとで印刷圧力を調整すると、同様に裏移りの程度を最少化できることがわかった。
【００１３】
図１は、上記知見に基づいて印刷装置を制御するシステムのブロック図である。図１において、印刷装置１は、制御部３０１と、プリンタエンジン３０２と、外部記憶装置３０３と、読取部を含む原稿台３０４と、操作パネル３０５と、可搬記録媒体インタフェース３０６と、通信インタフェース３０７とが、バス３０８によって相互に接続された構成を有する。制御部３０１は更に、印刷圧力制御手段３１０、ドラム空回転回数設定手段３１１、印刷速度設定手段３１２、及びスキップ印刷選択手段３１３を含む。
【００１４】
図１の印刷装置１の構成において、制御部３０１は、３１０から３１３の各部の機能を実現する専用のハードウェア装置、又は特には図示しないメモリに記憶された制御プログラムを実行するプロセッサである。
【００１５】
制御部３０１で実行される印刷速度設定手段３１２は、操作パネル３０５を介してユーザに、印刷濃度に対応する印刷速度を設定させる。
【００１６】
制御部３０１で実行されるスキップ印刷選択手段３１３は、操作パネル３０５を介してユーザに、裏移りを防止するために印刷ドラムを空回転させるスキップ印刷を選択させる。また、ドラム空回転回数設定手段３１１は、操作パネル３０５を介してユーザに、スキップ印刷選択時の印刷ドラムの空回転回数を設定させる。
【００１７】
印刷圧力制御手段３１０は、スキップ印刷選択手段３１３でスキップ印刷が選択されているときに、ドラム空回転回数設定手段３１１で設定される印刷ドラムの空回転回数に応じて、印刷ドラムの外周面に巻着された孔版原紙に印刷用紙を圧接させて印刷ドラム内から孔版原紙にインクを供給することにより印刷用紙に印刷を行う後述するプレスローラ（圧接手段）における圧接圧力である印刷圧力を制御する。また、印刷圧力制御手段３１０は、印刷速度設定手段３１２により印刷ドラムに対して設定されている回転速度に応じて、上述印刷圧力を制御する。印刷圧力制御手段３１０は、このようにして制御した印刷圧力を、後述する印刷圧力調整用電動機１２４（図４参照）に設定する。
【００１８】
印刷圧力調整用電動機１２４は、後述するプレスローラにおける圧接圧力を、印刷圧力制御手段３１０から設定された印刷圧力になるように制御する。この詳細な動作については、後述する。
【００１９】
印刷圧力制御手段３１０は具体的には、内蔵の特には図示しないＲＯＭ（リードオンリーメモリ）又は不揮発性メモリに、図２に例示される印刷圧力値記憶テーブル２００を記憶する。印刷圧力値記憶テーブル２００は、印刷ドラムの空回転回数の複数の値と印刷ドラムの回転速度の複数の値の組合せ毎に、最適な印刷圧力の値（単位：ｋｇｆ）を記憶する。図２の例では、空回転回数（単位：回）が、０回、１〜２回、３〜４回、５〜６回、７〜８回、及び９回以上の何れかに分類される。また、回転速度（単位：ｒｐｍ）が、１３０ｒｐｍ、１００ｒｐｍ、及び６０ｒｐｍの何れかに分類される。上記空回転回数と回転速度の組合せ毎に、空回転回数が多いほど印刷圧力が小さくなるように、また回転速度が速いほど印刷圧力が高くなるように、組合せ毎の印刷圧力が設定される。
【００２０】
例えば、回転速度が１３０ｒｐｍの場合において、空回転回数が０回のときは印刷圧力は最高値の１７ｋｇｆに設定され、空回転回数が９回以上のときは印刷圧力は７ｋｇｆに設定される。回転速度が１００ｒｐｍ又は６０ｒｐｍの各場合においても、空回転回数が多いほど印刷圧力が小さくなるように設定される傾向は回転速度が１３０ｒｐｍの場合と同様である。また、例えば空回転回数が０回の場合において、回転速度が１３０ｒｐｍのときは印刷圧力は最高の１７ｋｇｆに設定され、回転速度が６０ｒｐｍのときは印刷圧力は１３ｋｇｆに設定される。空回転回数が０回よりも多い場合においても、回転速度が速いほど印刷圧力が大きくなるように設定される傾向は空回転回数が０回の場合と同様である。
【００２１】
印刷圧力制御手段３１０は、ドラム空回転回数設定手段３１１で設定される印刷ドラムの空回転回数と印刷速度設定手段３１２で設定される回転速度の組合せに対応する印刷圧力値を、図２に例示される印刷圧力値記憶テーブル２００から読み出す。そして、印刷圧力制御手段３１０は、読み出した印刷圧力値に対応する印刷圧力を、後述する印刷圧力調整用電動機１２４（図４参照）に設定する。
【００２２】
ここで、印刷ドラムの空回転回数が多いほど、空回転の遠心力で印刷ドラムに巻き付いているマスタ版の穿孔部からインクが浮き出してしまい、印刷用紙に転移するインク量が過剰となり、それにより裏移りが悪化し、スキップ印刷の効果が充分に得られない。そこで、本実施形態では、上述の印刷圧力制御手段３１０の制御動作により、印刷ドラムの空回転回数が多いほど又は印刷時におけるドラム回転速度が遅いほど、プレスローラによる印刷ドラムへの圧接圧力である印刷圧力が小さくなるように制御することにより、印刷用紙への裏移りの程度を最少化することが可能となる。
【００２３】
図１において、原稿台３０４に原稿が置かれると、制御部３０１が、原稿台３０４の下部に配置される読取部（図３の読取部１０を参照）を制御することにより、原稿台３０４のガラス面上に置かれた原稿をスキャンして読み取る。制御部３０１は、読み取った原稿データに基づいて製版印刷用の画像データを生成し、プリンタエンジン３０２に出力する。プリンタエンジン３０２は、用紙の給紙機構及び搬送機構（図示せず）を制御して、制御部３０１から入力した製版印刷用の画像データから孔版原紙を生成する製版を実行する。その後、制御部３０１は、プリンタエンジン３０２を制御して、孔版原紙を用いて印刷用紙に印刷を実行する。最後に、プリンタエンジン３０２は、用紙の搬送機構及び排紙機構（図示せず）を制御して、印刷が完了した印刷用紙を排出する。
【００２４】
外部記憶装置３０３は、例えばハードディスク記憶装置又は半導体ディスク装置であり、制御部３０１で実行される各種印刷制御プログラムや、原稿データや印刷用の画像データ等を記憶する。
【００２５】
操作パネル３０５は、ユーザがスキップ印刷を設定したり、スキップ印刷時の空回転回数を設定したり、印刷速度を設定したりするための、例えばタッチパネル及び液晶表示装置である。
【００２６】
通信インタフェース３０７は、印刷装置１が特には図示しないローカルエリアネットワーク等に接続される場合に、そのネットワークと制御部３０１との間の印刷関連データの送受信を中継する。
【００２７】
可搬記録媒体インタフェース３０６は、ＵＳＢメモリ、ＳＤカードメモリ、コンパクトフラッシュ（登録商標）メモリや、ＣＤ−ＲＯＭ、ＤＶＤ、光ディスク等の可搬記録媒体３０９を収容するもので、外部記憶装置３０３の補助の役割を有する。
【００２８】
本実施形態による印刷装置１は、制御部３０１の各種機能を実現する印刷圧力制御プログラムをプロセッサが実行することで実現されてよく、それらの制御プログラムは、例えば外部記憶装置３０３や可搬記録媒体３０９に記録して配布してもよく、或いは通信インタフェース３０７によりネットワークから取得できるようにしてもよい。
【００２９】
図２は、印刷装置１の印刷機構の例を示す図である。印刷装置１は、図３に示されるように、原稿の画像を読み取る読取部１０、読取部１０で読み取られた画像情報に基づいて孔版原紙Ｍに製版処理を施す製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、および使用済みの孔版原紙Ｍを廃棄する排版部６０を備えている。
【００３０】
原稿台３０４のガラス面の下に配置される読取部１０は、イメージスキャナであり、副走査方向に搬送される原稿の画像の読み取りを行うラインイメージセンサ１２と原稿送りローラ１４とを有している。
【００３１】
製版部２０は、原紙ロール部２１と、複数個の発熱体が一列配列されてなるサーマルヘッドを有する製版ユニット２２と、原紙送りローラ２３、２４と、原紙案内ローラ２５、２６、２７と、原紙カッタ２８とを有している。この製版部２０では、原紙ロール２１から予め設定された１枚の製版分の長さの孔版原紙Ｍが繰り出され、製版ユニット２２の複数個の発熱体が各々個別に選択的に発熱することにより孔版原紙Ｍが感熱穿孔製版される。その製版済孔版原紙Ｍは、原紙カッタ２８により切断されて印刷ドラム３１に巻着される。
【００３２】
印刷部３０は、多孔金属板、メッシュ構造体などのインク通過性の円筒状の印刷ドラム３１、印刷ドラム３１の内部に配置されたスキージローラ３２とドクターローラ３３とインク供給ポンプ３５とを有するインク供給装置３４、およびプレスローラ３６を有している。ドラムの外周には製版済孔版原紙Ｍが巻き付けられて装着されるようになっている。
【００３３】
印刷装置１においては、インク供給装置３４により印刷ドラム３１の内側に所定の色の印刷インクが供給され、印刷ドラム３１が図示省略した回転駆動手段により自身の中心軸線の周りに図にて反時計廻り方向へ回転駆動され、印刷ドラム３１の回転に同期して所定のタイミングにて印刷用紙Ｐがタイミングローラ４３により図にて左方より右方へ移動する状態にて印刷ドラム３１とプレスローラ３６との間に供給され、印刷用紙Ｐがプレスローラ３６より印刷ドラム３１の外周面の巻き付け装着されている製版済孔版原紙Ｍに対し圧接されることによリ、印刷用紙Ｐに対して所定の色の印刷インクによる孔版印刷が行われる。
【００３４】
図４は、印刷装置１の印刷圧力制御機構の例を示す図である。プレスローラ３６は、印刷ドラム３１の軸線方向に延在してなり、ブラケット１００により自身の中心軸線の周りに回転可能に支持され、ブラケット１００は固定側部材である図示されていないフレームより回転可能に支持されたプレス軸１０１に固定装着されている。これによりプレスローラ３６は、プレス軸１０１を中心にして略上下方向に揺動変位可能とされ、印刷ドラム３１の外周面より引き離された退避位置と印刷ドラム３１の外周面に対して押し付けられるプレス作用位置との間に移動可能になっている。
【００３５】
プレス軸１０１にはプレス駆動レバー１０２が固定装着されており、またプレス軸１０１はプレス駆動板１０３を回転可能に支持している。プレス駆動板１０３には枢軸１０４によりフック部材１０５が回動可能に取り付けられており、フック部材１０５は、プレス駆動板１０３に搭載されたソレノイド１０６により回動駆動されてプレス駆動レバー１０２と選択的に係合し、プレス駆動レバー１０２とプレス駆動板１０３とを相互に駆動連結する。プレス駆動板１０３の端部には枢軸１０７により第一リンク部材１０８の一端が枢動連結されている。第一リンク部材１０８には長孔１０９が二カ所に各々同方向に延在して形成され、この各長孔１０９には第二リンク部材１１０のピン１１１が係合している。これにより第一リンク部材１０８と第二リンク部材１１０とは長孔１０９の範囲内にて相互にリンク長さ方向、即ち図４において略上下方向に変位可能に連結されている。
【００３６】
第一リンク部材１０８の下端部には折曲フランジ片部１１２が設けられており、折曲フランジ片部１１２にはアジャストスクリュ１１３が第一リンク部材１０８の往復運動方向に移動可能に貫通している。アジャストスクリュ１１３にはこの折曲フランジ片部１１２より下方の位置にカラー１１４を介して外歯１１５を有しスラスト受けを行う平歯車状のナット部材１１６が螺合しており、このアジヤストスクリュ１１３の上端部には引張コイルばね１１７の一端が係止されている。なお、アジャストスクリュ１１３は、これに引張コイルばね１１７の一端が係止されることより回り止めされ、ナット部材１１６の回転により第一リンク部材１０８に対して軸線方向に移動する。引張コイルばね１１７は、他端にてピン１１１に係止され、第一リンク部材１０８を第ニリンク部材１１０に対して上方、換言すればプレス駆動板１０３をプレス軸１０１の周りに図３にて反時計廻り方向、さらに換言すればプレスローラ３６を印刷ドラム３１の外周面に対して押し付ける方向へ付勢している。
【００３７】
第二リンク部材１１０は上端部にて枢軸１１８によりカムレバー１１９の先端部と枢動連結されている。カムレバー１１９は、支持軸１２０により図示省略のフレームより回動可能に支持され、先端部に枢軸１１８によりカムフォロアローラ１２１を回転可能に支持している。カムフォロアローラ１２１は主軸１２２に取り付けられたプレスカム１２３と係合している。プレスカム１２３は、印刷ドラム３１の回転に同期して回転し、印刷ドラム３１の外周部に設けられている図示されていない孔版原紙クランプ部がプレスローラ３６と対応する回転位置に位置する時に、プレスローラ３６と孔版原紙クランプ部と干渉をさけるために、プレスローラ３６を退避位置に位置させるカムプロフィールを有している。
【００３８】
折曲フランジ片部１１２には印刷圧力調整用電動機１２４（図１参照）が取り付けられており、印刷圧力調整用電動機１２４の出力軸１２５には駆動菌車１２６が固定装着されている。駆動歯車１２６は、ナット部材１１６の外歯１１５と噛合し、印刷圧力調整用電動機１２４の出力軸回転をナット部材１１６へ伝達する。図４に示される印刷圧力制御機構においては、印刷ドラム３１の回転によりプレスカム１２３が図３において時計廻り方向へ回転し、この回転により第二リンク部材１１０が略上下方向に往復動し、この往復動が引張コイルばね１１７を介して第一リンク部材１０８に伝達される。第一リンク部材１０８の往復動によりプレス駆動板１０３がプレス軸１０１を中心として往復回動し、この時にソレノイド１０６によりフック部材１０５が係合位置に移動されてプレス駆動レバー１０２と係合していることにより、プレス駆動板１０３の往復回動がプレス軸１０１に伝達され、このプレス軸１０１の往復回動によりプレスローラ３６がプレス軸１０１を中心として略上下方向に揺動変位し、プレスローラ３６は印刷ドラム３１の外周面より引き離された退避位置と印刷ドラム３１の外周面に対して押し付けられるプレス作用位置との間に移動する。
【００３９】
この際、プレスローラ３６のプレス作用位置への移動は、第ニリンク部材１１０が引き上げられてこの動きが引張コイルばね１１７に引張力を与えつつ第一リンク部材１０８に伝達され、プレス駆動板１０３がプレス軸１０１を中心として図３にて反時計廻り方向へ回動することにより行われ、プレスローラ３６が印刷用紙Ｐを挟んで印刷ドラム３１の外周面に対して押し付けられてプレス駆動板１０３のプレス軸１０１を中心とした図３において反時計廻り方向の回動が制限され、この状態よりもなおも第二リンク部材１１０が引き上げられることにより、第二リンク部材１１０が第一リンク部材１０８に対して変位し、引張コイルばね１１７が伸張するようになる。この結果、引張コイルばね１１７の伸張によるばね力によりプレスローラ３６が印刷用紙Ｐを挟んで印刷ドラム３１の外周面に対して押し付けられ、印刷圧力はこのばね力により決まるようになる。
【００４０】
印刷圧力の調節に際しては、印刷圧力調整用電動機１２４を駆動して駆動歯車１２６を回転させる。駆動歯車１２６の回転はナット部材１１６に伝達され、ナット部材１１６の回転によりアジャストスクリュ１１３が第一リンク部材１０８に対して軸線方向へ移動し、アジヤストスクリュ１１３の第一リンク部材１０８に対する軸線方向位置が変化する。これにより引張コイルばね１１７とアジヤストスクリュ１１３との係止部が第一リンク部材１０８に対して軸線方向に変位し、この変位により引張コイルばね１１７の取付長さが変化し、これの取付荷重が変化する。この引張コイルばね１１７の取付荷重の変化により、上述の如き作用下にてプレスローラ３６を印刷ドラム３１の外周面に対して押し付ける圧力、即ち印刷圧力が変化する。
【００４１】
前述した図１の製版部２０内の印刷圧力制御手段３１０は、上記印刷圧力調整用電動機１２４に対して、適切な印刷圧力を設定する。
【００４２】
給紙部４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラ３６との間に送り出すタイミングローラ４３とを有している。
【００４３】
排紙部５０は、印刷用紙Ｐを印刷ドラム３１より剥ぎ取る剥取爪５１と、排紙送りベルト部５２と、印刷済みの印刷用紙Ｐが積載される排紙台５３とを有している。
【００４４】
排版部６０は、印刷部３０の一方の側に設けられ、印刷ドラム３１から引き剥がされた使用済みの孔版原紙Ｍが送り込まれる排版ボックス６１と、印刷ドラム３１から使用済み孔版原紙Ｍを引き剥がして排版ボックス６１内へ送り込む排版ローラ６２とを有している。
【００４５】
図５は、図１の制御部３０１が、図１の印刷圧力制御手段３１０、ドラム空回転回数設定手段３１１、印刷速度設定手段３１２、及びスキップ印刷選択手段３１３の機能である印刷圧力制御処理の例を示すフローチャートである。この処理は、制御部３０１が、特には図示しないメモリに記憶された印刷圧力制御処理プログラムを実行する動作として実現される。
【００４６】
図５において、制御部３０１はまず、操作パネル３０５を介してユーザに、印刷濃度に対応する印刷速度を設定させる（ステップＳ５０１）。この処理は、図１の印刷速度設定手段３１２の機能に対応する。
【００４７】
次に、制御部３０１は、ユーザが操作パネル３０５を介して裏移りを防止するために印刷ドラムを空回転させるスキップ印刷を選択したか否かを判定する（ステップＳ５０２）。この処理は、図１のスキップ印刷選択手段３１３の機能に対応する。
【００４８】
制御部３０１は、ユーザがスキップ印刷を選択したと判定した場合（ステップＳ５０２の判定がＹＥＳの場合）、操作パネル３０５を介してユーザに、印刷ドラム３１の空回転回数を設定させる（ステップＳ５０３）。この処理は、図１のドラム空回転回数設定手段３１１の機能に対応する。
【００４９】
ステップＳ５０３の後、制御部３０１は、ステップＳ５０３で設定された印刷ドラム３１の空回転回数とステップＳ５０１で設定された印刷ドラム３１の回転速度の組合せに対応する印刷圧力値を、制御部３０１の内部の特には図示しないメモリに記憶されている図２に例示される印刷圧力値記憶テーブル２００から読み出す。そして、制御部３０１は、読み出した印刷圧力値に対応する印刷圧力を、図４の印刷圧力調整用電動機１２４に設定する（以上、ステップＳ５０４）。この処理は、図１の印刷圧力制御手段３１０の一部の機能に対応する。
【００５０】
一方、制御部３０１は、ユーザがスキップ印刷を選択しなかったと判定した場合（ステップＳ５０２の判定がＮＯの場合）、印刷ドラム３１の空回転回数０回とステップＳ５０１で設定された印刷ドラム３１の回転速度の組合せに対応する印刷圧力値を、制御部３０１の内部の特には図示しないメモリに記憶されている図２に例示される印刷圧力値記憶テーブル２００から読み出す。そして、制御部３０１は、読み出した印刷圧力値に対応する印刷圧力を、図４の印刷圧力調整用電動機１２４に設定する（以上、ステップＳ５０５）。この処理は、図１の印刷圧力制御手段３１０の一部の機能に対応する。
【００５１】
ステップＳ５０４又はＳ５０５の処理の後、原稿台３０４に原稿が置かれると、制御部３０１は、原稿台３０４の下部に配置される図３の読取部１２を制御することにより、原稿台３０４のガラス面上に置かれた原稿をスキャンして読み取る。制御部３０１は、読み取った原稿データに基づいて製版印刷用の画像データを生成し、プリンタエンジン３０２に出力する。プリンタエンジン３０２は、図３の製版部２０を制御して、制御部３０１から入力した製版印刷用の画像データから製版済孔版原紙Ｍを生成する製版を実行する。その後、制御部３０１は、プリンタエンジン３０２から図３の給紙部４０及び印刷部３０を制御して、製版済孔版原紙Ｍを用いて印刷用紙に印刷を実行する。最後に、プリンタエンジン３０２は、排紙部５０を制御して、印刷が完了した印刷用紙を排出する（以上、ステップＳ５０６）。その後、製版部２０は、図５のフローチャートで示される印刷圧力制御処理を終了する。
【００５２】
以上説明した実施形態において、印刷ドラムの停止状態から回転開始の初期は低速度から加速させていく制御が実施される場合に、印刷ドラムの回転速度が、印刷ドラムと用紙の接触時間が長くなる低速回転時には印刷圧力が低くなるように制御してインクの過剰転移による裏移りの発生を防止するようにし、高速になるに従って印刷圧力が高くなるような制御が実施されてもよい。
【００５３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５４】
以上の実施形態に関して、更に以下の付記を開示する。
（付記１）
製版された孔版原紙が巻着され前記孔版原紙にインクを供給しながら回転する印刷ドラムと、
前記印刷ドラムの外周面に巻着された前記孔版原紙に印刷用紙を圧接させて前記印刷ドラム内から前記孔版原紙にインクを供給することにより、前記印刷用紙に印刷を行う圧接手段と、
前記印刷ドラムを設定された空回転回数だけ空回転させる空回転手段と、
前記空回転回数に応じて前記圧接手段が前記孔版原紙に前記印刷用紙を圧接する圧力である印刷圧力を制御する印刷圧力制御手段と、
を備える印刷装置。
（付記２）
前記印刷圧力制御手段は更に、前記印刷ドラムに対して設定されている回転速度に応じて前記印刷圧力を制御する、
ことを特徴とする付記１に記載の印刷装置。
（付記３）
前記印刷圧力制御手段は、
前記空回転回数の複数の値と前記印刷ドラムの回転速度の複数の値の組合せ毎に最適な印刷圧力の値を記憶する印刷圧力値記憶テーブルを更に備え、
前記空回転手段で設定される前記空回転回数の値と前記印刷ドラムに対して設定されている回転速度の値の組合せに対応する印刷圧力値を前記印刷圧力値記憶テーブルから読み出し、前記圧接手段における前記印刷圧力を前記読み出した印刷圧力値に対応するように制御する、
ことを特徴とする付記１に記載の印刷装置。
（付記４）
回転する印刷ドラムの外周面に巻着された製版された孔版原紙に印刷用紙を圧接させて前記印刷ドラム内から前記孔版原紙にインクを供給することにより前記印刷用紙に印刷を行い、
空回転回数が設定された場合には前記印刷ドラムを前記空回転回数だけ空回転させ、
前記空回転回数に応じて前記圧接手段が前記孔版原紙に前記印刷用紙を圧接する圧力である印刷圧力を制御する、
ことを特徴とする印刷圧力制御方法。
【符号の説明】
【００５５】
１  印刷装置
１０  読取部
２０  製版部
３０  印刷部
４０  給紙部
５０  排紙部
６０  排版部
３１  印刷ドラム
３２  スキージローラ
３３  ドクターローラ
３４  インク供給装置
３５  インク供給ポンプ
３６  プレスローラ
１２４  印刷圧力調整用電動機
３０１  制御部
３０２  プリンタエンジン
３１０  印刷圧力制御手段
３１１  ドラム空回転回数設定手段
３１２  印刷速度設定手段
３１３  スキップ印刷選択手段
【図１】
2019038131.tif 000003
【図２】
2019038131.tif 000004
【図３】
2019038131.tif 000005
【図４】
2019038131.tif 000006
【図５】
2019038131.tif 000007